(57)【要約】【課題】コード化されたデータの二次利用を防止する。【解決手段】センター５の有する店舗の位置情報を、その情報に関連付けられたＰＩＯ（位置）コードをバーコード（ＱＲコード）化して携帯端末６に表示し、表示されたバーコードをカメラ２６で読み取って、位置情報を取得する車載機１であって、バーコードに解読キーを担持させ、解読キーを有するバーコードを読み取った場合のみ、位置情報を表示するプログラムが起動する構成とした。【選択図】図５
2005265591.tif 000002
【特許請求の範囲】
【請求項１】
２次元形状の識別符号を光学的に読み取る読取り部と、
該光学読取り部で読み取った識別符号から、ＰＯＩ（位置）コード及び解読キーを識別する識別手段と、
該識別手段によって識別した解読キーに従って前記ＰＯＩ（位置）コードが記憶装置に存在するか否かを検索するプログラムを実行するプログラム実行手段と、
該プログラム実行手段により、前記記憶手段にＰＯＩ（位置）コードが格納されていると判断された場合、前記ＰＯＩ（位置）コードに対応する位置情報を表示する表示手段と、
を備えたことを特徴とする車載装置。
【請求項２】
前記プログラム実行手段により，読み取られたＰＯＩ（位置）コードが前記記憶装置に格納されていないと判断された場合、ＰＯＩ（位置）コードに対応する位置情報を外部から取得する位置情報取得手段とを備えることを特徴とする請求項1に記載の車載装置。
【請求項３】
前記位置情報取得手段により外部から取得した位置情報及びＰＯＩ（位置）コードを記憶装置に格納する位置情報格納手段と、
を備えることを特徴とする請求項2に記載の車載装置。
【請求項４】
前記読取り部は、携帯端末に表示された識別符号を撮像部で読み取ることを特徴とする請求項1に記載の車載装置。
【請求項５】
位置コードか格納された位置情報格納手段と、
位置を検索するキーワードを外部端末から受信する受信手段と、
該受信したキーワードに基づいて、前記位置情報格納手段から位置コードを検索する位置コード検索手段と、
該検索された位置コードに車載装置が解読可能な解読キーを付与する解読キ―付与手段と、
該解読キーと位置コードとを識別符号に変換する識別符号変換手段と、
該識別符号を前記外部端末に送信する送信手段と、
を備えることを特徴とする情報処理装置。
【発明の詳細な説明】
【技術分野】
【０００１】
この発明は、車載装置に係り、詳しくは取得したデータの二次利用を防止できる車載装置に関するものである。
【背景技術】
【０００２】
例えば、ナビゲーション装置に代表される車載装置は、配置スペースが狭いために、キーボードのような入力装置は設けられておらず、例えば、画面に表示されたボタンに指先を触れて、データを入力するなどの入力装置が用いられている。しかし、このような入力装置では、目的地の住所などの入力が煩わしいため、近年では、二次元コードにコード化されたデータを特定のデータベースから取得し、このコードを読取装置で読み取って、コードに担持されているデータを取り込む装置が提供されている。  
このような装置には、例えば以下に示す先行文献が存在する。
【特許文献１】特開２００１−３３２６５。
【特許文献２】特開２００３−１６６８４４。
【発明の開示】
【発明が解決しようとする課題】
【０００３】
データベースから送信されるデータには、多数種のデータが含まれており、例えば住所、開店時間、メニュー等を含む飲食店の店舗情報や、電話番号のデータベースなど、供給されるデータの内容自体に利用価値が認められ、二次利用することができるものがある。二次元コードを読み取る装置があれば、供給された二次元コードを蓄積することで、データ提供者以外の者が、同様のデータベースを構築することが可能となってしまう。このようなデータの流出は好ましくない。  
この発明は、コード化されたデータの二次利用を防止する車載装置を提供することを目的としている。
【課題を解決するための手段】
【０００４】
以上のような目的は、以下の構成を有する本発明により達成される。  
（１）  ２次元形状の識別符号を光学的に読み取る読取り部と、
該光学読取り部で読み取った識別符号から、ＰＯＩ（位置）コード及び解読キーを識別する識別手段と、
該識別手段によって識別した解読キーに従って前記ＰＯＩ（位置）コードが記憶装置に存在するか否かを検索するプログラムを実行するプログラム手段と、
該プログラム実行手段により、前記記憶手段にＰＯＩ（位置）コードが格納されていると判断された場合、前記ＰＯＩ（位置）コードに対応する位置情報を表示する表示手段と、
を備えたことを特徴とする車載装置。
【０００５】
（２）  前記プログラム実行手段により，読み取られたＰＯＩ（位置）コードが前記記憶装置に格納されていないと判断された場合、ＰＯＩ（位置）コードに対応する位置情報を外部から取得する位置情報取得手段とを備えることを特徴とする上記（1）に記載の車載装置。
【０００６】
（３）  前記位置情報取得手段により外部から取得した位置情報及びＰＯＩ（位置）コードを記憶装置に格納する位置情報格納手段と、
を備えることを特徴とする上記（2）に記載の車載装置。
【０００７】
（４）  前記読取り部は、携帯端末に表示された識別符号を撮像部で読み取ることを特徴とする上記（1）に記載の車載装置。
【０００８】
（５）  位置コードか格納された位置情報格納手段と、
位置を検索するキーワードを外部端末から受信する受信手段と、
該受信したキーワードに基づいて、前記位置情報格納手段から位置コードを検索する位置コード検索手段と、
該検索された位置コードに車載装置が解読可能な解読キーを付与する解読キ―付与手段と、
該解読キーと位置コードとを識別符号に変換する識別符号変換手段と、
該識別符号を前記外部端末に送信する送信手段と、
を備えることを特徴とする情報処理装置。
【発明の効果】
【０００９】
請求項１に記載の発明によれば、読取り部で、識別符号を光学的に読み取ることで、識別符号に担持されたＰＯＩ（位置）コードや解読キーを一時に取り込むことができ、取り込んだ識別符号からＰＯＩ（位置）コードと解読キーを識別手段によって識別し、識別した解読キーに基づいて、ＰＯＩ（位置）コードに応じた情報が記憶装置に存在するか検索するプログラム実行手段によりプログラムを始動させる。そして、ＰＯＩ（位置）コードに応じた情報を表示する。解読キーが識別できなかった場合には、プログラムは始動しない。このため、識別符号に担持されたＰＯＩ（位置）コードや、ＰＯＩ（位置）コードに関連つけられた情報の二次利用を防止することができる。
【００１０】
請求項２に記載の発明によれば、ＰＯＩ（位置）コードに応じた情報が、記憶装置に格納されていない場合には、外部から該当する情報を取得するため、記憶装置に格納されていない位置情報も容易に取得することができる。
【００１１】
請求項３に記載の発明によれば、外部から取得した情報及びＰＯＩ（位置）コードを位置情報格納手段に格納するため、再使用の際には、外部からの情報の取得が不要となる。
【００１２】
請求項４に記載の発明によれば、読取り部は、携帯端末に表示された識別符号を撮像部で読み取る構成であるため、携帯端末で選択した情報の位置情報を容易に取得することができる。
【００１３】
請求項５に記載の発明によれば、外部端末から入力されたキーワードに基づい
て検索された位置コードに、車載装置が識別可能な解読キーを付与することに
より、位置コードや、位置コードに関連付けられた情報の二次利用を防止する
ことができる。
【発明を実施するための最良の形態】
【００１４】
以下、本発明の車載装置１について添付図面に基づき詳説する。図１は、本発明の車載装置１の構成を示すブロック図である。車両に搭載される車載装置１は、ナビゲーション制御部２と、ＰＯＩ（位置）データ管理部３と、通信装置４とを有している。
【００１５】
ナビゲーション制御部２は、処理部（ＥＣＵ）２１と、現在位置検出装置２２と、記憶装置２３と、表示装置２４と、音声出力装置２５と、読み取り部であるカメラ２６と、入力装置２７と、これらを相互に電気的に接続するバスライン２８とを備えている。処理部２１は、例えば、ＥＣＵなどの集積回路で構成され、ロードした各種プログラムに従って処理を行う。
【００１６】
現在位置検出装置２２は、ＧＰＳ受信装置２２１と、地磁気センサ２２２と、ジャイロセンサ２２３と、車速センサ２２４とを備えている。ＧＰＳ受信装置２２１は、車両の現在位置の緯度と経度を取得する。また、地磁気センサ２２２により東西南北方向に対する車両の相対的な向きを検出する。ジャイロセンサ２２３は、車両の向きの変化を検出する。車速センサ２２４は、車速を検出する。この他、現在位置検出装置２２は、舵角センサ、移動距離センサ等を備えていてもよい。これらのセンサの検出値に基づき、処理部２１において、現在位置が算出される。
【００１７】
記憶装置２３は、地図データベースを格納するメモリ２３１と、経路探索プログラムを格納するメモリ２３２と、音声データベースを格納するメモリ２３３を有している。  
経路探索プログラムは、処理部２１にロードされ、地図データベースに基づき現在地から目的地までの経路の探索を行う。音声データベースには、経路案内をする際の案内音声が記録されている。記憶装置２３は、例えばハードディスクドライブ装置や、ＤＶＤドライブ装置などの記録装置により構成される。
【００１８】
表示装置２４は、表示手段であり、例えば液晶画面で構成される。車両の現在地や、周囲の地図情報、探索された案内経路などが表示される。音声出力装置２５からは、探索された案内経路に基づき、現在位置に応じた案内情報が、音声により出力される。
【００１９】
撮像部であるカメラ２６は、後述する携帯電話の表示画面に表示された二次元バーコードを画像として読み取る。入力装置２７は、例えば、キーボード、画面に表示された情報を選択するためのポインティングデバイス、表示画面表面に重ねて貼り付けられた透明なタッチセンサなどにより構成され、これらの装置により文字情報の入力や、モードの選択などが行われる。
【００２０】
ＰＯＩデータ管理部３は、バスライン２８を介してナビゲーション制御部２に接続され、ＰＯＩデータ処理部３１とＰＯＩデータ記憶装置３２とを備えている。ＰＯＩデータ記憶装置３２は、ＰＯＩデータを格納するメモリ３２１と、追加されたＰＯＩデータを格納するメモリ３２２と、バーコード変換プログラムを格納するメモリ３２３と、ＰＯＩデータ検索プログラムを格納するメモリ３２４と、センター接続プログラムを格納するメモリ３２５とを備えている。ＰＯＩデータ処理部３１は、例えば、ＥＣＵなどの集積回路で構成され、ロードしたバーコード変換プログラム、ＰＯＩデータ検索プログラムやセンター接続プログラムに従って処理を行う。追加されたＰＯＩデータを格納するメモリ３２２により位置情報格納手段が構成される。
【００２１】
さらに、バスライン２８は、通信装置４に接続されている。通信装置４は、外部のセンター５とデータ通信を行い、この通信装置４を介して、ＰＯＩデータをセンター５から取得する。
【００２２】
バーコード変換プログラムは、カメラ２６で取り込んだ二次元バーコード（識別符号）を、特定の場所を表すＰＯＩ（位置）コードと、解読キーに変換する処理を行う。ＰＯＩデータ検索プログラムは、変換されたＰＯＩ（位置）コードに基づき、対応するＰＯＩ（位置）データをＰＯＩデータメモリ３２１から抽出するとともに、該当するＰＯＩ（位置）データがメモリ３２１に存在しない場合には、通信装置４を介して、センター５にＰＯＩ（位置）コードを供給し、対応するＰＯＩ（位置）データの供給を要求する。そして、供給されたＰＯＩ（位置）データを追加ＰＯＩデータメモリ３２２に蓄積するとともに、ＰＯＩ（位置）データをナビゲーション制御部２に供給する。ＰＯＩデータ検索プログラムは、解読キーが存在しないか、又はこの車載装置に割り当たられた解読キーに該当しない場合には、上記説明した、ＰＯＩデータの検索処理は実行しない。
【００２３】
図2は、センター5の構成を示すブロック図である。センター5は、処理部５１と、外部端末や車載装置とのデータのやり取りをする通信装置５２と、P01（位置）コードや位置情報等のデータを格納するデータ記憶装置５３とを備えている。処理部５１は、本願発明の受信手段、検索手段、解読キー付与手段、識別符号変換手段として機能し、通信装置５２は送信手段として機能し、データ記憶装置５３は位置情報格納手段として機能する。処理部５１は、複数の携帯端末（外部端末）から通信装置５２を介して受信した検索式データ（キーワ―ド）に基づき、データ記憶装置５３に記憶されているデータを検索する。
【００２４】
そして、検索式データ（キーワード）に該当するデータに特定の車載装置のみが解読可能な解読キーを付与する。次に解読キーを付与したデータと、検索されたデータ（P01（位置）コード）が処理部５１によって二次元バーコード（識別符号）に変換され、通信装置５２を介し、変換した二次元バーコードを検索式データを受信した携帯端末（外部端末）に対して送信する。
【００２５】
また、外部車載装置により、ＰＯＩ（位置）コードに対応したＰＯＩ（位置）データの要求があった場合に、供給されたＰＯＩ（位置）コードに対応したＰＯＩ（位置）データを抽出し、リクエストした外部車載装置にデータを送信する。データ記憶装置５２には、ＰＯＩ（位置）データの他には、例えば車載装置毎に設定されている解読キーが記憶されている。また、ＰＯＩ（位置）コードを送信する際には、ＰＯＩ（位置）コードに解読キーを加えて、これらを二次元バーコードに変換し、イメージデータとする処理を行う。
【００２６】
図３に、センター５のデータ記憶装置５３に記憶されているＰＯＩ（位置）データの内容を示す。ＰＯＩ（Point  of  Interest）情報とは、ある位置（地点）と、その位置にある施設等を関連付けた情報である。例えば、飲食店のＰＯＩ（位置）データの構成は、各ＰＯＩ（位置）データ毎に割り当てられたＰＩＯ（位置）コード、店舗の名称、店舗の名所の読み、位置情報、道路上最終案内地点情報、駐車場情報、営業情報、電話番号が含まれる。位置は、緯度、経度が記録されている。道路上最終案内地点情報は、道路ＩＤ、緯度、経度が記録されている。駐車場情報は、駐車できる車両数が記録されている。営業情報は、開店時間、閉店時間、定休日が記録されている。
【００２７】
ＰＩＯ（位置）コードは、都道府県コード、ジャンルコード、店舗毎に付与された番号で構成され、これらのコードをつなげて、ＰＩＯ（位置）コードが構成される。
【００２８】
図４は、センター５から供給されるＰＯＩ（位置）コードと解読キーを示すものである。センター５は、ＰＯＩ（位置）コードと解読キーを１つの二次元バーコードに変換する。解読キーは、このシステムに共通のキーすることができる。または、車載装置毎に割り当てられたキー、車載装置の機種毎に割り当たられたキー、使用者毎に割り当たられたキーの何れでもよい。このようなキーを設けることで、センター５に蓄積されたＰＯＩ（位置）データを他のシステムに二次利用されることが抑制される。
【００２９】
図５は、このシステムの作用を示すフローチャートの一例である。携帯端末（外部端末）である携帯電話６のコンテンツにおいて、所望のＰＯＩ（位置）データを検索する（ステップＳ１０１）。図示の例では、検索式（キーワード）として「札幌のおいしいラーメン屋」を検索した場合を示している。センター５では、検索式（キーワード）を取得すると、処理部５１が該当する店舗を検索し、検索された店舗毎のＰＯＩ（位置）コードに使用者毎（又は、車載装置毎）の解読キーを添付した二次元バーコードＱＲを作成し、各店舗の簡易データとともに、回答を返信する（ステップＳ２０３）。
【００３０】
携帯電話６では、表示画面に検索回答が表示され（図５中  Ａｎｓ）る（ステップＳ１０３）。この回答の中から所望の店舗を選択すると、店舗のＰＯＩ（位置）コードを含む二次元バーコード（ＱＲコード）が、表示画面に表示される（ステップＳ１０５）。
【００３１】
この表示画面を、車載装置１のカメラ２６の前にかざし、カメラ２６により携帯電話６の表示画面に表示された二次元バーコード（ＱＲコード）を読み取る（ステップＳ３０１）。次に判定ルーチン（ステップＳ３０３）を開始する。
【００３２】
この判定ルーチン（ステップＳ３０３）に、図６を用いて詳細に説明する。  
二次元バーコードを読み取った車載装置１は、バーコード変換プログラムをロードし処理を開始する（起動する）（ステップＳ４０１）。読み取った二次元バーコードをＰＯＩ（位置）コードと解読キーに変換する（ステップＳ４０３）。解読キーを、当車載装置１の解読キーに該当するか、判断する（ステップＳ４０５）。該当する場合には、ＰＯＩデータ検索プログラム３２４をロードし処理を開始する（起動する）（ステップＳ４０７）。該当しないか、又は解読キーが存在しなかった場合には、エラー表示を表示装置２４の画面に表示する（ステップＳ４０９）。ステップＳ４０３により識別手段が構成される。
【００３３】
ＰＯＩデータ検索プログラム３２４の起動により、ステップＳ４０３で変換したＰＯＩ（位置）コードに対応するＰＯＩデータをＰＯＩデータメモリ３２１から検索する（ステップＳ３０５）。該当するデータがＰＯＩデータメモリ３２１内にない場合には（ステップＳ３０７→Ｎ）、センター接続プログラムをロードし処理を開始する（起動する）（ステップＳ３０９）。そして、ＰＯＩ（位置）コードをセンター５に通信装置４を介して送信し、対応するＰＯＩ（位置）データを要求する（ステップＳ３１１）。センター５では、処理部５１が、通信装置５３を介して供給されたＰＯＩ（位置）コードに対応するＰＯＩ（位置）データを抽出し（ステップＳ２３１）、通信装置５３を介して車載装置１へデータを送信する（ステップＳ２３３）。ステップＳ４０５、４０７によりプログラム実行手段が構成される。
【００３４】
車載装置１は、ＰＯＩデータを通信装置４を介して受信すると（ステップＳ３１３）。取得したＰＯＩデータを追加ＰＯＩデータメモリ３２２に格納し（ステップＳ３１５）、ＰＯＩデータを表示装置２４に表示する（ステップＳ３１７）。ステップＳ３０７で、該当するデータがＰＯＩデータメモリ３２１内にあると判断された場合には、ＰＯＩデータメモリ３２１から抽出したＰＯＩデータを表示する（ステップＳ３１７）。ステップＳ３０７、３１７により表示手段が構成される。また、ステップＳ３０７、３０９、３１１、３１３により位置情報取得手段が構成される。  
表示されるＰＯＩデータをナビゲーション制御部２における目的地に設定し、経路探索する構成とすることもできる。
【図面の簡単な説明】
【００３５】
【図１】本発明の車載装置の構成を示すブロック図である。
【図２】センターの構成を示すブロック図である。
【図３】ＰＯＩデータの構成を示す図である。
【図４】符号化され送信されるコードの構成を示す図である。
【図５】フローチャートである。
【図６】フローチャートである。
【符号の説明】
【００３６】
１  車載装置
２  ナビゲーション制御部
２４  表示装置
２６  カメラ
３  ＰＯＩデータ管理部
３２２  追加ＰＯＩデータメモリ
４  通信装置
ＱＲ  二次元バーコード
【図１】
2005265591.tif 000003
【図２】
2005265591.tif 000004
【図３】
2005265591.tif 000005
【図４】
2005265591.tif 000006
【図５】
2005265591.tif 000007
【図６】
2005265591.tif 000008